(57)【要約】  内部の処理動作に関する異常が発生した場合に、適切に、正常状態に復帰することが可能な射出成形機を提供する。そのため、本発明の一実施形態の射出成形機は、通常起動モードで起動する場合に対して一部の機能が制限された制限起動モードで起動する。例えば、当該射出成形機は、相対的に優先度が高い高優先度処理動作の実行頻度が通常よりも高くなる異常により、相対的に優先度が低い診断処理動作又はメンテナンス処理動作を実行できない場合、その後、制限起動モードで起動したときに、通常起動モードで起動する場合に実行される処理動作のうちの診断処理動作又はメンテナンス処理動作だけを実行する。
2019142472.tif 000002
【特許請求の範囲】
【請求項１】
金型装置を型締する型締装置と、
前記型締装置により型締された前記金型装置に成形材料を充填する射出装置と、
前記射出装置により充填された成形材料が冷却固化した後、前記金型装置から成形品を取り出すエジェクタ装置と、を備え、
通常の起動モードで起動する場合に対して一部の機能が制限された所定の起動モードで起動する、
射出成形機。
【請求項２】
表示部に当該射出成形機に関する情報を表示させる表示機能、当該射出成形機に対する外部からの操作入力を受け付ける操作機能、前記操作入力に応じて、当該射出成形機に関する設定を変更する変更機能、当該射出成形機の成形条件に関する前記設定に基づき、成形動作に関する駆動部を制御する制御機能、前記駆動部を起動させる駆動機能、及び、当該射出成形機の外部との通信機能を含む概要機能を有し、
前記所定の起動モードにおいて、前記概要機能のうちの少なくとも一つの概要機能の全体又は一部の詳細機能が制限された状態で起動する、
請求項１に記載の射出成形機。
【請求項３】
前記所定の起動モードにおいて、前記通常の起動モードで起動する場合に前記表示機能により前記表示部に表示される前記情報のうちの一部の情報の表示、又は、前記通常の起動モードで起動する場合に前記操作機能により受け付けられる前記操作入力のうちの一部の操作入力の受付が制限された状態で起動する、
請求項２に記載の射出成形機。
【請求項４】
前記所定の起動モードにおいて、前記表示機能により前記表示部に当該射出成形機の診断又はメンテナンスに関する情報を表示可能な状態、又は、前記操作機能により当該射出成形機の診断又はメンテナンスに関する操作入力を受け付け可能な状態で起動する、
請求項３に記載の射出成形機。
【請求項５】
前記所定の起動モードにおいて、前記通信機能が有効な状態で起動する、
請求項２に記載の射出成形機。
【請求項６】
前記一部の機能には、当該射出成形機の診断に関する診断機能又は当該射出成形機のメンテナンスに関するメンテナンス機能が含まれる、
請求項５に記載の射出成形機。
【請求項７】
前記所定の起動モードにおいて、外部からの操作入力に応じて、当該射出成形機の各種機能に対応する処理システムの状態を、予めバックアップされた過去の時点の状態に復元することが可能な状態で起動する、
請求項１に記載の射出成形機。
【請求項８】
前記所定の起動モードにおいて、外部からの操作入力に応じて、当該射出成形機の各種機能に対応するプログラム又はパラメータを表示部に表示させることが可能な状態で起動する、
請求項１に記載の射出成形機。
【請求項９】
前記通常の起動モードで起動する際の通常の起動操作とは異なる所定の起動操作が行われた場合に、前記所定の起動モードで起動する、
請求項１に記載の射出成形機。
【請求項１０】
所定の異常がある状態で停止した場合、次回の起動時に、前記所定の起動モードで起動する、
請求項１に記載の射出成形機。
【請求項１１】
当該射出成形機の診断に関する所定の診断処理動作、又は、当該射出成形機のメンテナンスに関する所定のメンテナンス処理動作が未完了である状態で停止した場合、その後、前記所定の起動モードで起動したときに、未完了の前記診断処理動作又は前記メンテナンス処理動作を実行する、
請求項１に記載の射出成形機。
【発明の詳細な説明】
【技術分野】
【０００１】
本発明は、射出成形機に関する。
【背景技術】
【０００２】
例えば、制御装置と、型締装置等の各種駆動部を備え、当該制御装置が設定された成形条件等に応じて各種駆動部を制御し、成形品を生成する射出成形機が知られている（例えば、特許文献１等参照）。
【先行技術文献】
【特許文献】
【０００３】
【特許文献１】特開２０１７−１３２２２９号公報
【発明の概要】
【発明が解決しようとする課題】
【０００４】
しかしながら、例えば、制御装置等の処理動作に異常が生じる場合があり得る。そのため、例えば、このような異常が生じた場合に、ユーザが射出成形機を通常通りに再起動させても、成形条件に応じて成形品を生成するための制御に関する処理等、射出成形機の本来の機能に対応する処理が優先的に実行されてしまう可能性がある。つまり、ユーザは、優先度が相対的に低い診断処理やメンテナンス処理等、異常状態にある射出成形機を正常状態に復帰させるための各種処理を実行させることができない可能性がある。【０００５】
そこで、上記課題に鑑み、内部の処理動作に関する異常が発生した場合に、適切に、正常状態に復帰することが可能な射出成形機を提供することを目的とする。
【課題を解決するための手段】
【０００６】
上記目的を達成するため、本発明の一実施形態では、
金型装置を型締する型締装置と、
前記型締装置により型締された前記金型装置に成形材料を充填する射出装置と、
前記射出装置により充填された成形材料が冷却固化した後、前記金型装置から成形品を取り出すエジェクタ装置と、を備え、
通常の起動モードで起動する場合に対して一部の機能が制限された所定の起動モードで起動する、
射出成形機が提供される。
【発明の効果】
【０００７】
上述の実施形態によれば、内部の処理動作に関する異常が発生した場合に、適切に、正常状態に復帰することが可能な射出成形機を提供することができる。
【図面の簡単な説明】
【０００８】
【図１】射出成形機を含む射出成形システムの構成の一例を示す図である。
【図２】射出成形機を含む射出成形システムの構成の一例を示す図である。
【図３】制御装置の機能的な構成の一例を示す機能ブロック図である。
【図４】メンテナンス処理に関する通常の操作画面の一例を示す図である。
【図５】メンテナンス処理を対象とするリトライ処理の操作画面の一例を示す図である。
【図６】メンテナンス処理を対象とするリトライ処理の操作画面の他の例を示す図である。
【図７】メンテナンス処理を対象とするリトライ処理の操作画面の更に他の例を示す図である。
【図８】射出成形機の起動時における制御装置による処理の一例を概略的に示すフローチャートである。
【図９】射出成形機の起動時における制御装置による処理の他の例を概略的に示すフローチャートである。
【図１０】射出成形機の起動時における制御装置による処理の更に他の例を概略的に示すフローチャートである。
【図１１Ａ】正常復帰処理の対象となる異常の具体例を説明する図である。
【図１１Ｂ】正常復帰処理の対象となる異常の具体例を説明する図である。
【図１２】制限起動モードに関する射出成形機の動作の具体例を示すタイミングチャートである。
【発明を実施するための形態】
【０００９】
以下、図面を参照して発明を実施するための形態について説明する。
【００１０】
尚、各図面において、同一の或いは対応する構成については同一の或いは対応する符号を付して説明を省略する。
【００１１】
［射出成形システムの概要］
まず、図１、図２を参照して、射出成形機２を含む射出成形システム１の概要について説明をする。
【００１２】
図１、図２は、本実施形態に係る射出成形機２を含む射出成形システム１の構成の一例を示す図である。具体的には、図１では、射出成形機２の型開完了時の状態が示され、図２では、射出成形機２の型締時の状態が示されている。
【００１３】
射出成形システム１は、複数の射出成形機２と、外部装置４と、通信ネットワーク６を含む。
【００１４】
尚、複数の射出成形機２は、何れも同様の構成を有する。そのため、図１、図２では、複数の射出成形機２のうちの一の射出成形機２の詳細構成だけが示されている。
【００１５】
複数の射出成形機２は、通信ネットワーク６を通じて、相互に、双方向で通信可能に接続される。これにより、一の射出成形機２は、他の射出成形機２から、例えば、各種設定に関する情報や、更新用のプログラム等のメンテナンスに関する情報等の各種情報を取得することができる。また、一の射出成形機２は、例えば、他の射出成形機２から、当該一の射出成形機２に対する操作入力、即ち、遠隔操作を受け付けることができる。以下、入力装置９５から制御装置９０に入力される操作入力、及び、通信ネットワーク６経由で制御装置９０に入力される操作入力を、それぞれ、便宜的に、「直接操作入力」及び「遠隔操作入力」と称する場合がある。また、直接操作入力及び遠隔操作入力を、総括的に、「外部からの操作入力」と称する場合がある。
【００１６】
尚、複数の射出成形機２は、通信ネットワーク６を経由することなく、例えば、デイジーチェーン方式等により、相互に、双方向で通信可能に接続されてもよい。
【００１７】
また、複数の射出成形機２は、それぞれ、通信ネットワーク６を通じて、外部装置４と通信可能に接続される。これにより、それぞれの射出成形機２は、外部装置４から、例えば、各種設定に関する情報や、更新用のプログラム等のメンテナンスに関する情報等の各種情報を取得することができる。また、それぞれの射出成形機２は、例えば、外部装置４から、当該射出成形機２に対する操作入力、即ち、遠隔操作を受け付けることができる。
【００１８】
外部装置４は、通信ネットワーク６を通じて、複数の射出成形機２と通信可能に接続され、それぞれの射出成形機２を管理する。外部装置４は、例えば、工場内の複数の射出成形機２の稼働状態等を管理する管理端末である。また、外部装置４は、例えば、射出成形機２が配置される工場の外部に設けられ、一の工場に配置される、或いは、複数の工場に分散して配置される複数の射出成形機２を管理する管理サーバであってもよい。このとき、当該管理サーバは、射出成形機２を所有する事業者が運用する自社サーバであってもよいし、当該事業者が利用するクラウドサーバであってもよい。
【００１９】
通信ネットワーク６は、例えば、射出成形機２が設けられる工場等の内部のローカルネットワーク（ＬＡＮ：Local Area Network）を含む。また、通信ネットワーク６は、例えば、携帯電話網やインターネット網等を経由する広域ネットワーク（ＷＡＮ：Wide Area Network）を含んでもよい。
【００２０】
［射出成形機のハードウェア構成］
次に、引き続き、図１、図２を参照し、射出成形機２の具体的なハードウェア構成について説明する。
【００２１】
射出成形機２は、フレームＦｒと、型締装置１０と、射出装置４０と、エジェクタ装置５０と、制御装置９０と、入力装置９５と、出力装置９６とを含む。
【００２２】
まず、型締装置１０及びエジェクタ装置５０について説明する。以下、型締装置１０等の説明では、型閉時の可動プラテン１３の移動方向（具体的には、図１及び図２における右方向）を前方とし、型開時の可動プラテン１３の移動方向（図１及び図２における左方向）を後方とする。
【００２３】
型締装置１０（駆動部の一例）は、金型装置３０の型閉、型締、及び、型開を行う。型締装置１０は、固定プラテン１２と、可動プラテン１３と、サポートプラテン１５と、タイバー１６と、トグル機構２０と、型締モータ２１と、運動変換機構２５を含む。
【００２４】
固定プラテン１２は、フレームＦｒに対し固定される。固定プラテン１２における可動プラテン１３との対向面に固定金型３２が取り付けられる。
【００２５】
可動プラテン１３は、フレームＦｒ上に敷設されるガイド機構（例えば、ガイドレール）１７に沿って移動自在とされ、具体的には、固定プラテン１２に対し進退自在とされる。また、可動プラテン１３における固定プラテン１２との対向面に可動金型３３が取り付けられる。
【００２６】
固定プラテン１２に対し可動プラテン１３を進退させることにより、型閉、型締、及び、型開が行われる。固定金型３２と可動金型３３とで金型装置３０が構成される。
【００２７】
サポートプラテン１５は、固定プラテン１２と間隔をおいて連結され、フレームＦｒ上に型開閉方向に移動自在に載置される。また、サポートプラテン１５は、フレームＦｒ上に敷設される所定のガイド機構に沿って移動自在とされてもよい。このとき、サポートプラテン１５の当該ガイド機構は、上述した可動プラテン１３のガイド機構１７と共通でもよい。
【００２８】
尚、本実施形態では、固定プラテン１２がフレームＦｒに対し固定され、サポートプラテン１５がフレームＦｒに対し型開閉方向に移動自在とされるが、サポートプラテン１５がフレームＦｒに対し固定され、固定プラテン１２がフレームＦｒに対し型開閉方向に移動自在とされてもよい。
【００２９】
タイバー１６は、固定プラテン１２とサポートプラテン１５とを間隔をおいて連結する。タイバー１６は、複数本あってよい。各タイバー１６は、型開閉方向に平行とされ、型締力に応じて伸びる。少なくとも一本のタイバー１６には、型締力検出器１８が設けられる。型締力検出器１８は、例えば、タイバー１６の歪みを検出することによって型締力を検出する歪ゲージ式であり、検出結果を示す信号は、制御装置９０に取り込まれる。
【００３０】
尚、型締力検出器１８は、歪みゲージ式に限定されず、圧電式、容量式、油圧式、電磁式などでもよく、その取り付け位置もタイバー１６に限定されない。
【００３１】
トグル機構２０は、固定プラテン１２に対し可動プラテン１３を移動させる。トグル機構２０は、可動プラテン１３とサポートプラテン１５との間に配設される。トグル機構２０は、クロスヘッド２０ａ、一対のリンク群等で構成される。各リンク群は、ピンなどで屈伸自在に連結される複数のリンク２０ｂ、２０ｃを有する。一方のリンク２０ｂは可動プラテン１３に揺動自在に取付けられ、他方のリンク２０ｃはサポートプラテン１５に揺動自在に取付けられる。クロスヘッド２０ａを進退させると、複数のリンク２０ｂ、２０ｃが屈伸し、サポートプラテン１５に対し可動プラテン１３が進退する。
【００３２】
型締モータ２１は、サポートプラテン１５に取付けられており、トグル機構２０を作動させる。型締モータ２１は、クロスヘッド２０ａを進退させることにより、リンク２０ｂ、２０ｃを屈伸させ、可動プラテン１３を進退させる。
【００３３】
運動変換機構２５は、型締モータ２１の回転運動を直線運動に変換してクロスヘッド２０ａに伝達する。運動変換機構２５は、例えば、ボールねじ機構などで構成される。
【００３４】
型締装置１０の動作は、制御装置９０によって制御される。制御装置９０は、例えば、型閉工程、型締工程、及び、型開工程等における型締装置１０の動作を制御する。
【００３５】
型閉工程では、制御装置９０は、型締モータ２１を駆動して、クロスヘッド２０ａを設定速度で前進させることにより、可動プラテン１３を前進させ、可動金型３３を固定金型３２に接触させる。クロスヘッド２０ａの位置や速度は、例えば、型締モータ２１のエンコーダ２１ａ等により検出される。その検出結果を示す信号が、制御装置９０に取り込まれる。
【００３６】
型締工程では、制御装置９０は、型締モータ２１を更に駆動して、クロスヘッド２０ａを設定位置まで更に前進させることで、型締力を生じさせる。型締時に可動金型３３と固定金型３２との間にキャビティ空間３４が形成され、キャビティ空間３４に液状の成形材料が充填される。充填された成形材料が固化されることで、成形品が得られる（生成される）。キャビティ空間３４の数は複数でもよく、その場合、複数の成形品が同時に得られる（生成される）。
【００３７】
型開工程では、制御装置９０は、型締モータ２１を駆動してクロスヘッド２０ａを設定速度で後退させることにより、可動プラテン１３を後退させ、可動金型３３を固定金型３２から離間させる。
【００３８】
尚、本実施形態では、型締装置１０は、駆動源として、型締モータ２１を有するが、型締モータ２１の代わりに、或いは、加えて、他の動力源、例えば、油圧シリンダを有してもよい。また、型締装置１０は、例えば、型開閉用の駆動力源として、リニアモータを有し、型締用の駆動力源として、電磁石を有してもよい。
【００３９】
また、本実施形態では、型締装置１０は、型開閉方向が水平方向の横型であるが、型開閉方向が鉛直方向の竪型でもよい。
【００４０】
エジェクタ装置５０（駆動部の一例）は、金型装置３０から成形品を突き出す。エジェクタ装置５０は、エジェクタモータ５１と、運動変換機構５２と、エジェクタロッド５３を有する。
【００４１】
エジェクタモータ５１は、可動プラテン１３に取り付けられる。エジェクタモータ５１は、運動変換機構５２に直結されるが、ベルトやプーリなどを介して運動変換機構５２に連結されてもよい。
【００４２】
運動変換機構５２は、エジェクタモータ５１の回転運動をエジェクタロッド５３の直線運動に変換する。運動変換機構５２は、例えば、ボールねじ機構等で構成される。
【００４３】
エジェクタロッド５３は、可動プラテン１３の貫通穴において進退自在とされる。エジェクタロッド５３の前端部は、可動金型３３内に進退自在に配設される可動部材３５と接触する。また、エジェクタロッド５３は、可動部材３５に連結されてもよい。
【００４４】
エジェクタ装置５０の動作は、制御装置９０によって制御される。制御装置９０は、突出し工程等におけるエジェクタ装置５０の動作を制御する。
【００４５】
突出し工程では、制御装置９０は、エジェクタモータ５１を駆動してエジェクタロッド５３を前進させることにより、可動部材３５を前進させ、成形品を突き出す。その後、制御装置９０は、エジェクタモータ５１を駆動してエジェクタロッド５３を後退させ、可動部材３５を元の位置まで後退させる。エジェクタロッド５３の位置や速度は、例えばエジェクタモータ５１のエンコーダ５１ａにより検出される。その検出結果を示す信号が、制御装置９０に送られる。
【００４６】
続いて、射出装置４０について説明する。射出装置４０の説明では、型締装置１０の説明と異なり、充填時のスクリュ４３の移動方向（図１および図２中左方向）を前方とし、計量時のスクリュ４３の移動方向（図１および図２中右方向）を後方として説明する。
【００４７】
射出装置４０（駆動部の一例）は、フレームＦｒに対し進退自在なスライドベースＳｂに設置され、金型装置３０に対し進退自在とされる。射出装置４０は、金型装置３０にタッチされ、金型装置３０内に成形材料を充填する。
【００４８】
射出装置４０は、例えば、シリンダ４１と、ノズル４２と、スクリュ４３と、冷却器４４と、計量モータ４５と、射出モータ４６と、圧力検出器４７と、加熱器４８と、温度検出器４９を有する。
【００４９】
シリンダ４１は、供給口４１ａから内部に供給された成形材料を加熱する。供給口４１ａはシリンダ４１の後部に形成される。シリンダ４１の後部の外周には、水冷シリンダ等の冷却器４４が設けられる。冷却器４４よりも前方において、シリンダ４１の外周には、バンドヒータ等の加熱器４８と温度検出器４９とが設けられる。
【００５０】
シリンダ４１は、その軸方向（つまり、図１及び図２における左右方向）で複数のゾーンに区分される。シリンダ４１の各ゾーンに加熱器４８と温度検出器４９とが設けられる。制御装置９０は、ゾーン毎に、温度検出器４９の実測温度が設定温度になるように、加熱器４８を制御する。
【００５１】
ノズル４２は、シリンダ４１の前端部に設けられ、金型装置３０に対し押し付けられる。ノズル４２の外周には、加熱器４８と温度検出器４９とが設けられる。制御装置９０は、ノズル４２の実測温度が設定温度になるように、加熱器４８を制御する。
【００５２】
スクリュ４３は、シリンダ４１内において回転自在に且つ進退自在に配設される。
【００５３】
計量モータ４５は、スクリュ４３を回転させることにより、スクリュ４３の螺旋状の溝に沿って成形材料を前方に送る。成形材料は、前方に送られながら、シリンダ４１からの熱によって徐々に溶融される。液状の成形材料がスクリュ４３の前方に送られシリンダ４１の前部に蓄積されるにつれ、スクリュ４３が後退させられる。
【００５４】
射出モータ４６は、スクリュ４３を進退させる。射出モータ４６は、スクリュ４３を前進させることにより、スクリュ４３の前方に蓄積された液状の成形材料をシリンダ４１から射出し金型装置３０内に充填させる。その後、射出モータ４６は、スクリュ４３を前方に押し、金型装置３０内の成形材料に圧力をかける。これにより、不足分の成形材料が補充されうる。射出モータ４６とスクリュ４３との間には、射出モータ４６の回転運動をスクリュ４３の直線運動に変換する運動変換機構が設けられる。この運動変換機構は、例えば、ボールねじ機構等で構成される。
【００５５】
圧力検出器４７は、例えば、射出モータ４６とスクリュ４３との間に配設され、スクリュ４３が成形材料から受ける圧力、スクリュ４３に対する背圧等を検出する。スクリュ４３が成形材料から受ける圧力は、スクリュ４３から成形材料に作用する圧力に対応する。圧力検出器４７による検出結果を示す信号は、制御装置９０に取り込まれる。
【００５６】
射出装置４０の動作は、制御装置９０によって制御される。制御装置９０は、充填工程、保圧工程、及び、計量工程等における射出装置４０の動作を制御する。
【００５７】
充填工程では、制御装置９０は、射出モータ４６を駆動して、スクリュ４３を設定速度で前進させ、スクリュ４３の前方に蓄積された液状の成形材料を金型装置３０内に充填させる。スクリュ４３の位置や速度は、例えば、射出モータ４６のエンコーダ４６ａにより検出される。その検出結果を示す信号が制御装置９０に取り込まれる。スクリュ４３の位置が設定位置に達すると、充填工程から保圧工程への切替（所謂、Ｖ／Ｐ切替）が行われる。スクリュ４３の設定速度は、スクリュ４３の位置や時間等に応じて変更されてよい。
【００５８】
尚、充填工程において、スクリュ４３の位置が設定位置に達した後、その設定位置にスクリュ４３を一時停止させ、その後にＶ／Ｐ切替が行われてもよい。Ｖ／Ｐ切替の直前において、スクリュ４３の停止の代わりに、スクリュ４３の微速前進又は微速後退が行われてもよい。
【００５９】
保圧工程では、制御装置９０は、射出モータ４６を駆動してスクリュ４３を設定圧力で前方に押し、金型装置３０内の成形材料に圧力をかける。これにより、不足分の成形材料が補充されうる。成形材料の圧力は、例えば、圧力検出器４７により検出される。その検出結果を示す信号は、制御装置９０に取り込まれる。
【００６０】
保圧工程では、金型装置３０内の成形材料が徐々に冷却され、保圧工程完了時には、キャビティ空間３４の入口が固化した成形材料で塞がれる。この状態はゲートシールと呼ばれ、これにより、キャビティ空間３４からの成形材料の逆流が防止される。保圧工程後、冷却工程が開始される。冷却工程では、キャビティ空間３４内の成形材料の固化が行われる。成形サイクルの短縮のため、冷却工程中に計量工程が行われてよい。
【００６１】
計量工程では、制御装置９０は、計量モータ４５を駆動してスクリュ４３を設定回転数で回転させ、スクリュ４３の螺旋状の溝に沿って成形材料を前方に送る。これに伴い、成形材料が徐々に溶融される。液状の成形材料がスクリュ４３の前方に送られ、シリンダ４１の前部に蓄積されるにつれ、スクリュ４３が後退させられる。スクリュ４３の回転数は、例えば、計量モータ４５のエンコーダ４５ａにより検出される。その検出結果を示す信号は、制御装置９０に取り込まれる。
【００６２】
計量工程では、制御装置９０は、スクリュ４３の急激な後退を制限すべく、射出モータ４６を駆動してスクリュ４３に対して設定背圧を加えてよい。スクリュ４３に対する背圧は、例えば、圧力検出器４７により検出される。その検出結果を示す信号は、制御装置９０に取り込まれる。スクリュ４３が設定位置まで後退し、スクリュ４３の前方に所定量の成形材料が蓄積されると、計量工程が終了する。
【００６３】
尚、本実施形態の射出装置４０は、インライン・スクリュ方式であるが、プリプラ方式でもよい。プリプラ方式の射出装置は、可塑化シリンダ内で溶融された成形材料を射出シリンダに供給し、射出シリンダから金型装置内に成形材料を射出する。可塑化シリンダ内にはスクリュが回転自在に又は回転自在に且つ進退自在に配設され、射出シリンダ内にはプランジャが進退自在に配設される。
【００６４】
制御装置９０は、当該射出成形機２に関する各種の制御を行う。例えば、制御装置９０は、ＣＰＵ（Central Processing Unit）９１と、例えば、ＲＡＭ（Random Access Memory）
等の主記憶装置やＲＯＭ（Read Only Memory）や不揮発性の補助記憶装置等の記憶媒体９２と、入力インターフェース９３と、出力インターフェース９４を有するコンピュータを中心に構成される。制御装置９０は、例えば、記憶媒体９２に記憶された各種プログラムをＣＰＵ９１に実行させることにより各種機能を実現させる。また、制御装置９０は、入力インターフェース９３で外部からの制御信号や情報信号等の各種信号を受信し、出力インターフェース９４で外部に制御信号や情報信号等の各種信号を送信する。
【００６５】
入力装置９５は、ユーザによる当該射出成形機２に対する各種操作入力が行われ、ユーザの操作入力に応じた操作信号を制御装置９０に送信する。入力装置９５は、例えば、ボタン、レバー、トグル等のスイッチやキーボード等のハードウェアによる操作手段であってもよいし、後述する出力装置９６に表示される操作画面上のボタンアイコン等のソフトウェアによる操作手段であってもよい。また、入力装置９５は、ソフトウェアによる操作手段を実現するため、例えば、タッチパネルが用いられてもよい。この場合、後述の出力装置９６は、例えば、タッチパネル式のディスプレイを含み、入力装置９５（の一部）を兼ねる態様であってもよい。入力装置９５は、当該射出成形機２を起動させるための起動スイッチ９５ａを含む。
【００６６】
出力装置９６（表示部の一例）は、制御装置９０（具体的には、後述する表示処理部９０３）による制御の下で、各種情報を表示する。具体的には、出力装置９６は、入力装置９５を通じて制御装置９０に入力される、外部からの操作入力に応じて、各種情報画像を表示してよい。また、出力装置９６は、通信ネットワーク６を通じて制御装置９０に入力される、外部からの操作入力、つまり、遠隔操作に応じて、各種情報画像を表示してもよい。
【００６７】
例えば、出力装置９６は、当該射出成形機の稼働状況に関する情報を表示する。
【００６８】
また、例えば、出力装置９６は、当該射出成形機における各種設定の現状に関する情報（つまり、設定状態に関する情報）を表示する。
【００６９】
また、例えば、出力装置９６は、ユーザが当該射出成形機２に関する各種操作を行うための操作画面を表示する。このとき、出力装置９６に表示される操作画面は、操作対象や操作内容等に応じて、複数用意されてよく、切り替えて表示されたり、重ねて表示されたりしてよい。
【００７０】
記憶装置９７は、所定の記憶媒体を含む。記憶装置９７は、制御装置９０と通信可能に接続され、例えば、制御装置９０からの制御信号に応じて、或いは、自発的に、記憶媒体に記憶される所定の情報を制御装置９０に送信する。例えば、記憶装置９７には、制御装置９０により実現される当該射出成形機２の各種機能に関する更新用のプログラム等のメンテナンスに関する情報が保存されており、適宜、制御装置９０に読み出されてよい。
【００７１】
記憶装置９７は、例えば、ＵＳＢメモリや記憶媒体としてのＤＶＤメディアが挿入されたＤＶＤドライブ等、当該射出成形機２（制御装置９０）に対して着脱可能な態様であってよい。記憶装置９７は、例えば、ＤＶＤドライブ等のように、内部の記憶媒体が着脱可能な態様であってもよい。
【００７２】
電源リレー９８は、上述した型締装置１０、射出装置４０、及び、エジェクタ装置５０等、成形品を生成するために駆動する駆動部（以下、単に「射出成形機２の駆動部」と称する）と、所定の商用電源との間の電力経路に設けられる。電源リレー９８は、当該射出成形機２の停止状態において、ＯＦＦされている。そして、電源リレー９８は、通常（具体的には、後述する通常起動モードにおいて）、当該射出成形機２が起動するとＯＮされ、射出成形機２の駆動部が起動する。つまり、電源リレー９８は、射出成形機２の駆動部を起動する機能（以下、便宜的に「駆動機能」と称する）を実現する。
【００７３】
例えば、ユーザは、出力装置９６に表示される操作画面を見ながら、入力装置９５を操作することにより、各種の設定を行う。ユーザによる設定（具体的には、新規の設定、或いは、従来から変更された設定）は、記憶媒体９２に記憶され、必要に応じて読み出される。
【００７４】
［射出成形機の機能構成］
次に、図１、図２に加えて、図３を参照し、射出成形機２（制御装置９０）の具体的な機能構成について説明する。
【００７５】
図３は、射出成形機２に搭載される制御装置９０（後述）の機能的な構成の一例を概略的に示す機能ブロック図である。
【００７６】
制御装置９０は、例えば、記憶媒体９２に記憶された各種プログラムをＣＰＵ９１に実行させることによりされる機能部として、起動処理部９０１と、通信処理部９０２と、表示処理部９０３と、操作入力受付部９０４と、設定処理部９０５と、制御処理部９０６と、正常復帰処理部９０７を含む。
【００７７】
起動処理部９０１は、ユーザによる起動操作、つまり、起動スイッチ９５ａに対する操作（以下、便宜的に「直接起動操作」と称する）に応じて、停止状態にある当該射出成形機２を起動させる。また、起動処理部９０１は、通信ネットワーク６を通じて制御装置９０に入力される、当該起動操作に相当する所定の操作入力（以下、便宜的に「遠隔起動操作入力」と称する）に応じて、当該射出成形機２を起動させてもよい。
【００７８】
例えば、起動処理部９０１の機能は、制御装置９０のＲＯＭやフラッシュメモリ等に組み込まれたＢＩＯＳ（Basic Input/Output System）のプログラムにより実現されうる。より具体的には、ユーザによる直接起動操作や通信ネットワーク６経由の遠隔起動操作に対応する操作入力が制御装置９０に入力された場合、制御装置９０への電力供給が開始され、制御装置９０への電力供給の開始に応じて、当該起動処理部９０１の機能が起動する。
【００７９】
また、当該射出成形機２は、複数の起動モードを有する。例えば、制御装置９０のＣＰＵ９１上で動作するリアルタイムＯＳ（Operating System）は、複数の起動モードを有する。そして、起動処理部９０１は、複数の起動モードのうちの何れかの起動モードで、当該リアルタイムＯＳを起動させる。これにより、起動モードごとに、リアルタイムＯＳ上で動作する、当該射出成形機２の各種機能に対応するアプリケーションプログラム等の動作仕様等を異ならせることができる。換言すれば、選択された起動モードによっては、制御装置９０により実現される当該射出成形機２の各種機能のうちの一部が制限されうる。また、例えば、起動処理部９０１は、特定の起動モード（例えば、後述する制限起動モード）で射出成形機２を起動する場合、電源リレー９８をＯＦＦのままに維持してもよい。これにより、制御装置９０は、例えば、成形品を生成する必要がない特定の起動モードでは、当該射出成形機２の駆動部を起動させないようにすることができる。つまり、選択された起動モードによっては、当該射出成形機２の駆動機能が制限されうる。
【００８０】
起動処理部９０１は、予め規定される条件の当否等に応じて、複数の起動モードのうちの何れかの起動モードで、当該射出成形機２を起動させる。当該複数の起動モードに関する起動処理部９０１の具体的な構成や動作等については、後述する。
【００８１】
通信処理部９０２は、入力インターフェース９３及び出力インターフェース９４を制御し、通信ネットワーク６を経由する外部（例えば、他の射出成形機２や外部装置４）との通信を行う。換言すれば、通信処理部９０２は、当該射出成形機２の外部との通信機能を実現する。通信処理部９０２は、例えば、記憶媒体９２に格納され、上述のリアルタイムＯＳ上で動作する所定のアプリケーションプログラムがＣＰＵ９１上で実行されることにより実現される。以下、表示処理部９０３、操作入力受付部９０４、設定処理部９０５、制御処理部９０６、及び、正常復帰処理部９０７についても同様である。
【００８２】
表示処理部９０３は、出力装置９６を制御し、出力装置９６に当該射出成形機２に関する各種情報を表示させる。換言すれば、表示処理部９０３は、出力装置９６に当該射出成形機２に関する情報を表示させる表示機能を実現する。
【００８３】
操作入力受付部９０４は、入力インターフェース９３を通じて制御装置９０に入力される、ユーザによる入力装置９５からの直接操作入力や通信ネットワーク６経由の遠隔操作入力を受け付ける。つまり、操作入力受付部９０４は、当該射出成形機２に対する外部からの操作入力を受け付ける操作機能を実現する。
【００８４】
尚、出力装置９６に表示される操作画面を通じて、ユーザの直接操作入力がなされる場合、操作入力受付部９０４の機能（つまり、操作機能）は、表示処理部９０３に包含されてもよい。
【００８５】
設定処理部９０５は、操作入力受付部９０４により受け付けられる所定の操作入力（以下、便宜的に「設定変更の操作入力」と称する）に応じて、当該射出成形機２に関する各種の設定を変更する。換言すれば、設定処理部９０５は、外部からの設定変更の操作入力に応じて、当該射出成形機２に関する設定を変更する変更機能を実現する。このとき、設定の変更には、初期設定を含む何等かの設定内容が既に規定されている状態から異なる設定内容に変更する場合の他、未設定の状態から何等かの設定を新たに規定する場合が含まれうる。例えば、設定変更の操作入力は、ユーザにより、各種の設定変更用に予め用意される操作画面を通じて、行われてよい。
【００８６】
当該射出成形機２の設定には、例えば、成形条件の設定、ユーザ情報の設定、外部信号の設定、監視の設定、及び、警告灯の設定のうち少なくとも一つが含まれうる。
【００８７】
成形条件の設定は、例えば、型締装置１０の設定、射出装置４０の設定、エジェクタ装置５０の設定等を含む。
【００８８】
制御装置９０（具体的には、後述する制御処理部９０６）は、成形条件を示す制御量の設定値と制御量の検出値とに基づき、制御対象機器の操作量を生成する。制御対象機器としては、例えば、電力機器が用いられ、より具体的には、モータやヒータなどが用いられる。制御装置９０は、制御量の設定値と制御量の検出値との差分がゼロになるように、制御対象機器の操作量を生成してよい。
【００８９】
尚、本実施形態の制御方式は、フィードバック制御であるが、フィードフォワード制御でもよい。
【００９０】
ユーザ情報の設定は、例えば、操作画面などの操作入力の権限に関する設定を含む。例えば、ユーザの技能や熟練度に応じて異なる権限が設定され、ユーザごとに操作入力の可能な項目が設定される。
【００９１】
制御装置９０の記憶媒体９２は、ユーザの識別情報（例えば、名前、識別番号、ユーザＩＤ（Identifier）等）とユーザの権限情報とを対応付けて予め記憶している。制御装置９０は、例えば、当該射出成形機２を操作するユーザの識別情報を読取機などで取得し、取得した識別情報と予め記憶媒体９２に記憶された情報とに基づき、各種の操作入力の許否を決定する。また、制御装置９０は、入力装置９５を通じて入力されうるユーザＩＤ等の識別情報に応じて、各種の操作入力の許否を決定してもよい。
【００９２】
尚、上述の読取機としては、例えば、タッチパネル、一次元コードリーダ、二次元コードリーダなどが用いられる。
【００９３】
外部信号の設定は、例えば、射出成形機２から外部機器に所定信号を出力する条件の設定、外部機器から送られる所定信号の入力の有無に応じて許否が決定される射出成形機２の動作の設定等を含む。外部機器としては、取出機、ベルトコンベア、材料供給装置、金型温調装置等が挙げられる。当該取出機は、射出成形機２から成形品を取出す。当該ベルトコンベアは、当該取出機から成形品を受取り、搬送する。当該材料供給装置は、射出装置４０に成形材料を供給する。当該金型温調装置は、金型装置３０の温度を調整する。
【００９４】
制御装置９０は、外部機器に所定信号を出力することで、外部機器に動作のタイミングを指示する。また、制御装置９０は、外部機器から所定信号が入力されている期間において、予め設定された動作を許可し、外部機器から所定信号の入力が無い期間において、予め設定された動作を禁止するインターロック機能を有する。
【００９５】
尚、当該インターロック機能は、外部機器から所定信号の入力が無い期間において、予め設定された動作を許可し、外部機器から所定信号が入力されている期間において、予め設定された動作を禁止する態様であってもよい。
【００９６】
監視の設定は、例えば、射出成形機２に設けられる各種の検出器による検出値の許容範囲の設定を含む。当該検出器としては、圧力検出器、温度検出器、位置検出器、速度検出器、トルク検出器等が挙げられる。
【００９７】
制御装置９０は、検出器の検出値が許容範囲から外れる場合に、出力装置９６等を通じて警報を出力する。警報には、例えば、画像（視覚的な警報）、音（聴覚的な警報）、振動（触覚的な警報）等が用いられる。
【００９８】
警告灯の設定は、当該射出成形機２に設けられる、図示しない警告灯に関する設定であり、例えば、当該警告灯の識別表示に関する設定を含む。当該警告灯は、当該射出成形機２や外部機器等の異常の種類を識別可能な態様で表示することができ、異常の種類の識別表示は、例えば、色の組合せ等によって実現される。
【００９９】
制御装置９０は、異常を検知した場合に、当該警告灯を制御し、検知した異常の種類に応じた警告灯の表示を行う。
【０１００】
制御処理部９０６は、設定処理部９０５により設定された成形条件の設定に応じて、上述の如く、当該射出成形機２の駆動部（つまり、型締装置１０、射出装置４０、及び、エジェクタ装置５０等）を制御する。つまり、制御処理部９０６は、当該射出成形機２の成形条件に関する設定に基づき、成形動作に関する当該射出成形機２の駆動部を制御する制御機能を実現する。
【０１０１】
以下、当該射出成形機２の機能のうち、上述した通信機能、表示機能、操作機能、変更機能、制御機能、及び、駆動機能等を、便宜的に、「概要機能」と称する場合がある。また、当該概要機能に含まれる個別の詳細な機能を、便宜的に、「詳細機能」と称する場合がある。また、当該射出成形機２のある機能（例えば、後述する診断に関する機能やメンテナンスに関する機能）は、複数の概要機能のそれぞれに含まれる詳細機能により実現される場合がある。
【０１０２】
正常復帰処理部９０７は、当該射出成形機２が所定の異常がある状態で停止した場合、その後、当該射出成形機２が後述する制限起動モードで起動したときに、当該射出成形機２を正常状態に復帰させるための各種処理（以下、「正常復帰処理」と称する）を行う。つまり、起動処理部９０１は、制限起動モードにおいて、正常復帰処理部９０７により実現される機能（以下、「正常復帰機能」）を起動可能な状態で、当該射出成形機２を起動する。正常復帰処理部９０７は、当該射出成形機２が所定の異常がある状態で停止した場合、その後、当該射出成形機２が後述する制限起動モードで起動したときに、自動的に、正常復帰処理を実行してもよいし、ユーザによる直接操作入力や遠隔操作入力等に応じて、実行してもよい。以下、本実施形態では、対象とする所定の異常が、制御装置９０の処理動作に関する異常である前提で説明を進めるが、上述の如く、当該射出成形機２の駆動部の異常であってもよい。
【０１０３】
尚、正常復帰処理部９０７の機能は、制限起動モード以外の起動モードで当該射出成形機２が起動した場合についても利用可能であってよい。例えば、後述する診断処理やメンテナンス処理は、通常起動モードで当該射出成形機２が起動した場合に、ユーザによる入力装置９５から、或いは、通信ネットワーク６経由の所定の操作入力に応じて、実行されてよい。
【０１０４】
例えば、正常復帰処理部９０７は、当該射出成形機２（具体的には、制御装置９０の処理動作）の診断に関する処理（以下、「診断処理」と称する）を行う。当該診断処理には、例えば、制御装置９０にインストールされた、射出成形機２の各種機能に対応するプログラムのバグやパラメータ異常（例えば、成形条件の設定異常）の検出処理等が含まれうる。これにより、制御装置９０は、当該射出成形機２の具体的な異常を特定することができる。
【０１０５】
また、例えば、正常復帰処理部９０７は、当該射出成形機２（具体的には、制御装置９０の処理動作）のメンテナンスに関する処理（以下、「メンテナンス処理」と称する）を行う。当該メンテナンス処理には、例えば、射出成形機２の各種機能に対応する、制御装置９０にインストールされる各種プログラムの更新（アップデート）処理や、診断処理で検出された当該各種プログラムのバグやパラメータ異常の修正処理等が含まれうる。これにより、制御装置９０は、異常箇所を修正等し、当該射出成形機２を具体的に正常状態に復帰させることができる。
【０１０６】
また、例えば、正常復帰処理部９０７は、外部からの操作入力等に応じて、当該射出成形機２の各種機能に対応する制御装置９０の処理システムの状態（例えば、上述のリアルタイムＯＳのシステム状態）を、予めバックアップされた過去の時点の状態に復元する。当該バックアップは、ユーザにより手動で行われてもよいし、予め規定されるスケジュールに従い、制御装置９０により自動で行われてもよい。バックアップされたある時点のデータ（つまり、バックアップデータ）は、例えば、記憶媒体９２等の不揮発性の内部メモリに保存され、正常復帰処理部９０７は、外部からの操作入力により選択された過去のある時点に対応するバックアップデータを読み出すことにより、制御装置９０の処理システムの状態を復元する。これにより、ユーザは、例えば、制御装置９０を、処理動作の異常が発生する前のシステム状態に戻し、当該射出成形機２を正常状態に復帰させることができる。
【０１０７】
また、例えば、正常復帰処理部９０７は、当該射出成形機２の停止時に完了している必要がある特定の処理が未完了のまま、当該射出成形機２が停止する異常が発生した場合、当該未完了の処理を実行させる処理（以下、便宜的に「リトライ処理」と称する）を行う。これにより、制御装置９０は、例えば、特定の処理の実行中に、何等かの理由（例えば、ユーザによる誤った停止操作、電源リレー９８の異常による遮断、記憶装置９７の当該射出成形機２（制御装置９０）から取り外しに起因する処理に必要な情報の読み出し未完了等）で、当該射出成形機２が停止してしまった場合に対処できる。また、制御装置９０は、優先度の高い処理（周期タスク）が異常な頻度で実行され、優先度の低い特定の処理が実行できない場合や、通信機能の異常等により外部から必要な情報を取得できず、結果として、特定の処理が実行できない場合等に対処することができる。このとき、未完了の処理には、実行中に、当該射出成形機２が停止してしまった場合の他、本来実行されるべき処理が実行できないまま当該射出成形機２が停止してしまった場合が含まれる。また、リトライ処理が対象とする特定の処理には、例えば、上述の診断処理やメンテナンス処理が含まれうる。リトライ処理の詳細については、後述する（図４〜図７参照）。
【０１０８】
［起動処理部の動作］
次に、起動処理部９０１の動作について説明する。
【０１０９】
＜起動モードの詳細＞
上述した射出成形機２の複数の起動モードには、いわゆる通常の起動モード（以下、「通常起動モード」と称する）と、通常起動モードで起動する場合に対して当該射出成形機２の一部の機能が制限された起動モード（以下、「制限起動モード」）が含まれる。このとき、機能の制限には、機能の停止や機能の限定等が含まれうる。
【０１１０】
通常起動モードは、本来の目的である成形品を生成するために通常使用される起動モードである。通常起動モードでは、ユーザは、例えば、当該射出成形機２の保守用の特殊な機能等を除き、基本的に、射出成形機２が有する全ての機能を利用することができる。
【０１１１】
一方、制限起動モードは、例えば、制御装置９０における各種制御処理に関する異常が発生した場合等において、当該射出成形機２を正常状態に復帰させるために使用される起動モードである。通常起動モードでは、制御装置９０により実現される、当該射出成形機２の各種機能に対応する優先度が相対的に高い処理タスクが複数存在する。そのため、制御装置９０は、通常起動モードで当該射出成形機２が起動した場合、優先度が相対的に低い診断処理やメンテナンス処理等の正常状態に復帰させるための処理を実行することができない可能性がある。これに対して、制限起動モードでは、当該射出成形機２を正常状態に復帰させるために必要がない機能等が適宜制限されることにより、例えば、並列処理される周期タスクの数を減らし、相対的に優先度が低い診断処理やメンテナンス処理等が実行されうる環境が実現される。
【０１１２】
尚、制限起動モードは、制御装置９０における各種制御処理に関する異常の他、例えば、制御処理部９０６の制御対象である、当該射出成形機２の駆動部（つまり、型締装置１０、射出装置４０、及び、エジェクタ装置５０等）の異常が発生した場合に使用されてもよい。この場合、制限起動モードでは、当該駆動部を正常状態に復帰させるための必要性が相対的に低い機能が制限されるとよい。
【０１１３】
起動処理部９０１は、制限起動モードにおいて、上述の如く、通常起動モードで起動される当該射出成形機２の機能の一部の機能、具体的には、当該射出成形機２を正常状態に復帰させるための必要性が相対的に低い機能を制限する。換言すれば、起動処理部９０１は、制限起動モードにおいて、通常起動モードの場合に起動する当該射出成形機２の機能の一部の機能（つまり、制限された一部の機能を除く残りの機能）だけを起動する。
【０１１４】
例えば、起動処理部９０１は、制限起動モードにおいて、上述した複数の概要機能のうちの少なくとも一つの概要機能の全体を制限する。
【０１１５】
具体的には、起動処理部９０１は、制限起動モードにおいて、制御機能や駆動機能を制限してよい。制限機能や駆動機能は、制御装置９０の処理動作の異常との関連性が低く、制限されても問題がないからである。また、起動処理部９０１は、制限起動モードにおいて、変更機能を制限してもよい。制御装置９０の処理動作に異常がある場合、ユーザ等によって各種設定が変更されると、異常状態の継続を助長する可能性があるからである。
【０１１６】
一方、起動処理部９０１は、制限起動モードにおいて、表示機能や操作機能が有効な状態で当該射出成形機２を起動してよい。これにより、ユーザは、例えば、診断処理やメンテナンス処理等の正常状態に復帰させるための機能に対応する処理に関する情報を出力装置９６で閲覧したり、当該処理を実行させるための操作を行ったりすることができる。また、起動処理部９０１は、制限起動モードにおいて、通信機能が有効な状態で当該射出成形機２を起動してよい。これにより、ユーザは、例えば、通信ネットワーク６を経由した遠隔操作によって、当該射出成形機２を正常復帰させるための処理を実行させることができる。
【０１１７】
また、例えば、起動処理部９０１は、制限起動モードにおいて、上述した複数の概要機能のうちの少なくとも一つの概要機能に含まれる一部の詳細機能を制限する。
【０１１８】
具体的には、起動処理部９０１は、制限起動モードにおいて、通常起動モードの場合に有効な表示機能のうちの一部の表示機能を制限してよい。より具体的には、起動処理部９０１は、制限起動モードにおいて、通常起動モードの場合に表示機能により表示される各種情報のうち、当該射出成形機２を正常状態に復帰させるために必要性が低い一部の情報の表示を制限してもよい。また、起動処理部９０１は、制限起動モードにおいて、表示機能により表示される操作画面のうち、当該射出成形機２を正常状態に復帰させるために必要性が低い一部の操作画面を操作不可の状態で表示させるようにしてもよい。このとき、表示処理部９０３は、例えば、操作画面の操作対象であるアイコンのリンクを無効にしたり、操作画面の全体を暗くしたり等することにより、操作画面を操作不可の状態で出力装置９６に表示させる。
【０１１９】
尚、表示機能は、制限起動モードにおいて、表示処理部９０３により具体的に制限されるが、出力装置９６が、例えば、制限起動モードであるか否か、及び、出力対象の各種情報が制限対象であるか否か等を判定する等により、具体的な制限を行ってもよい。
【０１２０】
また、起動処理部９０１は、制限起動モードにおいて、通常起動モードの場合に有効な操作機能のうちの一部の操作機能を制限してよい。より具体的には、起動処理部９０１は、制限起動モードにおいて、操作機能により受け付けられる操作入力のうち、当該射出成形機２を正常状態に復帰させるために必要性が低い一部の操作入力の受付を制限してよい。
【０１２１】
一方、起動処理部９０１は、制限起動モードにおいて、通常起動モードの場合に有効な表示機能のうち、当該射出成形機２を正常状態に復帰させるために必要性が高い一部の表示機能を起動可能な状態で、当該射出成形機２を起動してよい。より具体的には、起動処理部９０１は、制限起動モードにおいて、例えば、当該射出成形機２の診断機能やメンテナンス機能に関する情報を出力装置９６に表示可能な状態で、当該射出成形機２を起動してよい。このとき、診断機能に関する情報には、特定された異常箇所に関する情報等の当該射出成形機２に現に発生している異常に関する情報が含まれる。これにより、ユーザは、当該射出成形機２を正常状態に復帰させるために必要性が高い情報を閲覧したり、同様に必要性が高い操作画面を利用したりすることができる。
【０１２２】
また、起動処理部９０１は、同様に、制限起動モードにおいて、通常起動モードの場合に有効な操作機能のうち、当該射出成形機２を正常状態に復帰させるために必要性が高い一部の操作機能を起動可能な状態で、当該射出成形機２を起動する。より具体的には、起動処理部９０１は、制限起動モードにおいて、例えば、当該射出成形機２の診断機能やメンテナンス機能に関する入力装置９５からの直接操作入力や通信ネットワーク６を経由する遠隔操作入力を受け付け可能な状態で、当該射出成形機２を起動する。これにより、ユーザは、当該射出成形機２を正常状態に復帰させるために必要性が高い操作を、当該射出成形機２に対して行うことができる。
【０１２３】
即ち、起動処理部９０１は、制限起動モードにおいて、通常起動モードの場合に有効な各種機能のうち、診断機能やメンテナンス機能等の当該射出成形機２を正常状態に復帰させるための特定の機能を含む一部の機能だけを起動してよい。
【０１２４】
また、起動処理部９０１は、制限起動モードにおいて、通常起動モードの場合に有効な表示機能のうち、当該射出成形機２の各種機能に対応するプログラム或いはパラメータを出力装置９６に表示する機能が有効な状態で、当該射出成形機２を起動してよい。これにより、ユーザは、例えば、プログラム或いはパラメータを確認し、プログラムのバグや異常なパラメータの値等を目視で把握することができる。
【０１２５】
また、起動処理部９０１は、制限起動モードにおいて、通常起動モードの場合に有効な操作機能及び変更機能のうち、外部からの所定の操作入力を受け付け、当該射出成形機２の各種機能に対応するプログラム或いはパラメータを変更する機能が有効な状態で、当該射出成形機２を起動してよい。これにより、ユーザは、例えば、上述した表示により確認したプログラムのバグや異常なパラメータの値等を修正し、当該射出成形機２を正常状態に復帰させることができる。
【０１２６】
＜起動モードの選択＞
起動処理部９０１は、上述の如く、所定の条件の当否に応じて、当該射出成形機２を通常起動モードで起動させるか、制限起動モードで起動させるかを判定（選択）し、選択した起動モードで当該射出成形機２を起動させる。
【０１２７】
例えば、起動処理部９０１は、起動スイッチ９５ａに対する通常の起動操作が行われた場合、通常起動モードで当該射出成形機２を起動させる。一方、起動処理部９０１は、起動スイッチ９５ａに対する通常の起動操作と異なる特殊な起動操作が行われた場合、制限起動モードで当該射出成形機２を起動させる。このとき、通常の起動操作は、例えば、押しボタン式の起動スイッチ９５ａが比較的短い時間押される押し操作であり、特殊な起動操作は、起動スイッチ９５ａが比較的長い時間押され続ける、いわゆる長押し操作であってよい。また、特殊な起動操作は、起動スイッチ９５ａが所定の操作パターンで操作される（例えば、所定時間内に、所定回数の押し操作がされる等）態様の一連の操作であってもよい。また、特殊な起動操作は、起動スイッチ９５ａと、入力装置９５に含まれる他の操作手段（例えば、他の操作スイッチ）とを組み合わせた操作（例えば、起動スイッチ９５ａと、他の操作スイッチとを略同時に押す操作）であってもよい。これにより、ユーザは、起動スイッチ９５ａの操作内容を変更することで、射出成形機２の起動モードを選択することができる。
【０１２８】
また、例えば、起動処理部９０１は、起動スイッチ９５ａが操作されると、出力装置９６に起動モード選択画面を表示させ、当該起動モード選択画面を通じてユーザにより選択された起動モードで当該射出成形機２を起動させる。
【０１２９】
また、例えば、起動処理部９０１は、通常起動モードが選択されたことを示す遠隔起動操作の操作入力が入力された場合、通常起動モードで当該射出成形機２を起動させる。一方、起動処理部９０１は、制限起動モードが選択されたことを示す遠隔起動操作の操作入力が入力された場合、制限起動モードで当該射出成形機２を起動させる。このとき、例えば、遠隔起動操作が行われる他の射出成形機２の出力装置９６や外部装置４のディスプレイ等には、所定の操作に応じて、起動操作用の操作画面が表示される。これにより、ユーザは、当該操作画面を通じて、起動モードを選択し、射出成形機２を起動させることができる。
【０１３０】
また、例えば、起動処理部９０１は、起動操作が直接操作入力か、遠隔操作入力かの別に応じて、当該射出成形機２を起動させる起動モードを判断する。具体的には、起動処理部９０１は、当該入力装置９５を通じて起動操作に対応する直接操作入力が入力された場合、上述の操作内容（つまり、通常の起動操作か、特殊な起動操作か）に応じて、当該射出成形機２を起動させる起動モードを選択する。一方、起動処理部９０１は、通信ネットワーク６経由で起動操作に対応する遠隔操作入力が入力された場合、制限起動モードで起動させる。
【０１３１】
また、例えば、起動処理部９０１は、前回の停止時に、対象となる所定の異常がある状態であったか否かに応じて、起動モードを選択する。具体的には、対象となる所定の異常がない状態で当該射出成形機２が停止した場合、次回の起動時に、通常起動モードで起動する一方、所定の異常がある状態で当該射出成形機２が停止した場合、次回の起動時に、制限起動モードで起動する。これにより、当該射出成形機２の異常状態に対応して、自動的に、制限起動モードが選択されるため、ユーザの利便性を向上させることができる。
【０１３２】
［正常復帰処理部の動作］
次に、図４〜図７を参照して、正常復帰処理部９０７の動作、具体的には、リトライ処理の一例について説明する。以下、本例では、リトライ処理の対象となる特定の処理が、メンテナンス処理である前提で説明を進めるが、当然の如く、診断処理であってもよい。
【０１３３】
図４は、出力装置９６に表示される、メンテナンス処理に関する通常の操作画面の一例（操作画面４００）を示す図である。図５は、出力装置９６に表示される、メンテナンス処理を対象とするリトライ処理の操作画面の一例（操作画面５００）を示す図である。図６は、出力装置９６に表示される、メンテナンス処理を対象とするリトライ処理の操作画面の他の例（操作画面６００）を示す図である。図７は、出力装置９６に表示される、メンテナンス処理を対象とするリトライ処理の操作画面（操作画面７００）の更に他の例を示す図である。
【０１３４】
図４に示すように、操作画面４００には、メンテナンス処理の全体を一括で実行させるためのボタンアイコン４０１と、メンテナンス処理を構成する一連の工程（本例では、５工程）のそれぞれを個別に実行させるボタンアイコン４０２〜４０６を含む。
【０１３５】
ユーザは、入力装置９５を用いて、ボタンアイコン４０１を操作することで、メンテナンス処理に対応する一連の工程（５工程）を自動で実行させることができる。また、ユーザは、入力装置９５を用いて、ボタンアイコン４０２〜４０６の何れかを操作することにより、メンテナンス処理に対応する一連の工程のうちの何れか一つの工程を手動で実行させることができる。
【０１３６】
これに対して、図５に示すように、リトライ処理に関する操作画面５００には、操作画面４００のボタンアイコン４０１〜４０６に対応するボタンアイコン５０１〜５０６が表示されるが、一部のボタンアイコンを操作できない状態になっている。具体的には、未完了のメンテナンス処理の全行程を自動で実行させるためのボタンアイコン５０１と、未完了のメンテナンス処理の全工程のうちの既に完了した工程に対応するボタンアイコン５０２〜５０４は、操作不可の状態を示すグレーアウトの状態（例えば、リンクが無効の状態）で表示される。これにより、ユーザは、既に完了している３工程に続く最初の第４工程からメンテナンス処理を実行させることができる。つまり、正常復帰処理部９０７は、外部からの操作入力に応じて、未完了分の最初の工程から、未完了のメンテナンス処理を実行する。
【０１３７】
尚、正常復帰処理部９０７は、制限起動モードで当該射出成形機２が起動すると、外部からの操作入力に依らず、自動的に、未完了分の最初の工程（本例の場合、第４工程）から、未完了のメンテナンス処理を実行してもよい。
【０１３８】
また、図６に示すように、リトライ処理に関する操作画面６００には、操作画面４００のボタンアイコン４０１〜４０６に対応するボタンアイコン６０１〜６０６が表示されるが、図５の場合と同様、一部のボタンアイコンを操作できない状態になっている。具体的には、未完了のメンテナンス処理の全行程を自動で実行させるためのボタンアイコン５０１は、操作不可の状態を示すグレーアウトの状態で表示される。一方、図５の場合と異なり、メンテナンス処理の全行程のうちの既に完了した工程に対応する表示部分は、グレーアウトされているものの、完了済の工程に対応するボタンアイコン６０２〜６０４は、グレーアウトされておらず、操作可能な状態で表示される。これにより、ユーザは、任意の工程を選択し、選択した工程から順次未完了のメンテナンス処理を実行させることができる。つまり、正常復帰処理部９０７は、外部からの操作入力に応じて、外部からの操作入力により選択された工程から、未完了のメンテナンス処理を実行する。このとき、正常復帰処理部９０７は、ユーザにより既に完了した工程からのメンテナンス処理が選択された場合、既に完了した工程のうちリトライされる工程に対応する、記憶媒体９２に保存された所定の情報（メンテナンスプログラムの一部）を削除し、新たなメンテナンス処理を行う。
【０１３９】
また、図７に示すように、リトライ処理に関する操作画面７００には、操作画面４００と同様の画面の上に重畳して、操作ウィンドウ７０１が表示される。操作ウィンドウ７０１には、前回のメンテナンス処理が未完了である旨の内容と、未完了のメンテナンス処理を最初から実行する旨を示す内容の文字情報が含まれる。そして、操作ウィンドウ７０１には、未完了のメンテナンス処理を最初から実行することに同意するためのボタンアイコン７０２と、別の画面（例えば、メンテナンス処理に関する操作画面に遷移するための直前の操作画面）に戻るためのボタンアイコン７０３が含まれる。これにより、ユーザは、操作画面７００での指示に従い、入力装置９５等を通じてボタンアイコン７０２を操作することで、未完了のメンテナンス処理を最初から実行させることができる。つまり、正常復帰処理部９０７は、外部からの操作入力に応じて、未完了のメンテナンス処理のうちの完了分に対応する記憶媒体９２に保存された所定の情報（メンテナンスプログラムの一部）を削除し、未完了のメンテナンス処理動作を最初から実行する。
【０１４０】
尚、正常復帰処理部９０７は、制限起動モードで当該射出成形機２が起動すると、外部からの操作入力に依らず、自動的に、未完了のメンテナンス処理のうちの完了分に対応する記憶媒体９２に保存された所定の情報（メンテナンスプログラムの一部）を削除し、未完了のメンテナンス処理動作を最初から実行してもよい。
【０１４１】
［射出成形機の起動時における制御装置の処理フロー］
次に、図８〜図１０を参照して、射出成形機２の起動時における制御装置９０の処理フローについて説明する。
【０１４２】
図８は、射出成形機２の起動時における制御装置９０による処理の一例を概略的に示すフローチャートである。本フローチャートによる処理は、当該射出成形機２の停止状態で、制御装置９０に起動操作に対応する操作入力が入力されると、制御装置９０の起動後、最初に実行される。以下、図９の処理についても同様である。
【０１４３】
ステップＳ１０２にて、起動処理部９０１は、起動操作に対応する操作入力の内容に応じて、起動モードを選択し、選択した起動モードに応じて、射出成形機２の起動処理を開始する。
【０１４４】
そして、ステップＳ１０４にて、起動処理部９０１は、射出成形機２の起動を完了する。
【０１４５】
ステップＳ１０６にて、正常復帰処理部９０７は、起動モードが制限起動モードであるか否かを判定する。制限起動モードである場合、ステップＳ１０８に進み、制限起動モードでない場合、今回の処理を終了する。
【０１４６】
ステップＳ１０８にて、正常復帰処理部９０７は、所定の操作入力、つまり、正常復帰処理を実行させるための操作入力（例えば、上述した操作画面５００〜７００での操作に対応する操作入力）が外部から入力されたか否かを判定する。正常復帰処理部９０７は、外部から正常復帰処理を実行させるための操作入力が入力された場合、ステップＳ１１０に進み、それ以外の場合、当該射出成形機２が停止されるまで、本ステップの判定を繰り返す。
【０１４７】
ステップＳ１１０にて、正常復帰処理部９０７は、入力された操作入力の内容に応じて、正常復帰処理を実行し、今回の処理を終了する。
【０１４８】
このように、制御装置９０は、制限起動モードで当該射出成形機２が起動する場合に、ユーザによる外部からの操作入力に応じて、前回の停止時に発生していた異常を修正する等によって、当該射出成形機２を正常状態に復帰させることができる。これにより、ユーザは、前回の停止時の異常を確認した場合に、当該射出成形機２を直接操作入力や遠隔操作入力で操作することにより、当該射出成形機２を制限起動モードで起動させ、正常復帰処理を実行させることができる。
【０１４９】
続いて、図９は、射出成形機２の起動時における制御装置９０による処理の他の例を概略的に示すフローチャートである。
【０１５０】
ステップＳ２０２〜Ｓ２０６の処理は、図８のステップＳ１０２〜Ｓ１０６と同じであるため、説明を省略する。
【０１５１】
ステップＳ２０８にて、正常復帰処理部９０７は、前回の当該射出成形機２の停止時に、対象とする所定の異常が当該射出成形機２にあったか否かを判定する。前回の停止時に、対象の異常があったか否かは、例えば、当該射出成形機２の停止時に、制御装置９０の不揮発性の内部メモリ（例えば、記憶媒体９２）等に記録される、異常の有無や異常の種類等を特定する情報（フラグ値等）を参照することにより、把握されてよい。以下、後述する図１０のステップＳ３０４の場合についても同様である。正常復帰処理部９０７は、前回の停止時に、対象の異常が発生していた場合、ステップＳ２１０に進み、対象の異常が発生していなかった場合、今回の処理を終了する。
【０１５２】
ステップＳ２１０にて、正常復帰処理部９０７は、対象の異常の種類等に応じて、正常復帰処理を実行し、今回の処理を終了する。
【０１５３】
このように、制御装置９０は、制限起動モードで当該射出成形機２が起動する場合に、前回の停止時に発生していた異常を自動で判断し、修正する等によって、当該射出成形機２を正常状態に復帰させることができる。これにより、ユーザは、前回の停止時の異常を確認した場合に、当該射出成形機２を直接操作入力や遠隔操作入力で操作することにより、当該射出成形機２を制限起動モードで起動させるだけで、自動的に、異常に合わせた正常復帰処理を実行させることができる。
【０１５４】
尚、本例では、外部からの操作入力に依らず、自動的に、正常復帰処理が実行されるが、当然の如く、正常復帰処理を実行させるための外部からの所定の操作入力（例えば、上述の操作画面５００〜７００での操作）があったことを条件として、正常復帰処理が実行されてもよい。この場合、例えば、ステップＳ１０８とステップＳ１１０の間に、出力装置９６に操作画面５００〜７００等を表示させる処理と、当該操作画面５００〜７００等に対する外部からの所定の操作入力があったか否かを判定する処理が追加される。そして、後者の判定処理において、当該所定の操作入力が無い場合には、今回の制限起動モードが継続する限り、当該判定処理が繰り返される構成にするとよい。
【０１５５】
続いて、図１０は、射出成形機２の起動時における制御装置９０による処理の更に他の例を概略的に示すフローチャートである。本フローチャートによる処理は、例えば、当該射出成形機２の停止状態で、制御装置９０に起動操作に対応する操作入力が入力されると、制御装置９０の起動後、最初に実行される。
【０１５６】
ステップＳ３０２にて、起動処理部９０１は、射出成形機２の起動処理を開始する。
【０１５７】
ステップＳ３０４にて、起動処理部９０１は、前回の当該射出成形機２の停止時に、対象とする所定の異常が当該射出成形機２にあったか否かを判定する。正常復帰処理部９０７は、前回の停止時に、対象の異常が発生していた場合、ステップＳ３０６に進み、対象の異常が発生していなかった場合、ステップＳ３１２に進む。
【０１５８】
ステップＳ３０６にて、起動処理部９０１は、当該射出成形機２の起動モードとして制限起動モードを選択し、選択した制限起動モードで当該射出成形機２を起動させる。
【０１５９】
そして、ステップＳ３０８にて、起動処理部９０１は、制限起動モードでの当該射出成形機２の起動を完了する。
【０１６０】
ステップＳ３１０の処理は、図９のステップＳ２１０と同じであるため、説明を省略する。
【０１６１】
一方、ステップＳ３１２にて、起動処理部９０１は、当該射出成形機２の起動モードとして通常起動モードを選択し、選択した通常起動モードで当該射出成形機２を起動させる。
【０１６２】
そして、ステップＳ３１４にて、起動処理部９０１は、通常起動モードでの当該射出成形機２の起動を完了し、今回の処理を終了する。
【０１６３】
このように、制御装置９０は、前回の停止時に対象の異常が発生していた場合、自動的に、制限起動モードで当該射出成形機２を起動させ、前回の停止時に発生していた異常を修正する等によって、当該射出成形機２を正常状態に復帰させることができる。これにより、ユーザは、前回の停止時の異常の有無を認識することなく、当該射出成形機２を直接操作入力や遠隔操作入力で操作し、当該射出成形機２を起動させるだけで、自動的に、制限起動モードで異常に合わせた正常復帰処理を実行させることができる。
【０１６４】
［制限起動モードに関する射出成形機の動作の具体例］
次に、図１１、図１２を参照して、制限起動モードに関する射出成形機２の動作の具体例について説明する。
【０１６５】
図１１（図１１Ａ，１１Ｂ）は、正常復帰処理の対象となる異常の具体例を説明する図である。具体的には、図１１Ａは、通常起動モードにおける正常時の射出成形機２の動作を示す図であり、図１１Ｂは、通常起動モードにおける異常時の射出成形機２の動作を示す図である。図１２は、制限起動モードに関する射出成形機の動作の具体例を示すタイミングチャートである。
【０１６６】
図１１Ａに示すように、制御装置９０は、複数の機能に関する処理を並列的に処理するため、周期的に、特定の機能に対応するタスクを起動する態様で特定の機能を実現する。このとき、制御装置９０は、例えば、制御機能等、射出成形機２の本来の目的である成形品を生成するための相対的に優先度の高い機能に対応する処理（以下、「高優先度処理」と称する）を優先的に実行し、高優先度処理が実行されていない期間で、相対的に優先度が低いメンテナンス処理等を行う。
【０１６７】
一方、図１１Ｂに示すように、制御装置９０は、例えば、設定の誤りやプログラムのバグ等により、高優先度処理の起動トリガが通常時よりも多く発生してしまうと、常時、高優先度処理が実行されている異常な状態になりうる。すると、当該射出成形機２の稼働中に、本来は、実行されるべき相対的に優先度の低いメンテナンス処理等は実行されないまま、当該射出成形機２が停止してしまう可能性がある。また、この異常状態は、次回の通常起動モードでの起動時も継続するため、何度、再起動しても、メンテナンス処理が実行されない異常が解消されない。
【０１６８】
これに対して、図１２に示すように、本例では、制御装置９０は、通常起動モードにおいて、想定されるメンテナンス処理が実行されるタイミングで、メンテナンス処理が実行されていないことを検知すると（時刻ｔ１）、記憶媒体９２等の不揮発性の内部メモリに異常フラグを記録する（時刻ｔ２）。
【０１６９】
そして、当該射出成形機２が停止された（時刻ｔ３）後に、起動操作に対応する操作入力が入力されると（時刻ｔ４）、制御装置９０は、内部メモリ内の異常フラグに応じて、制限起動モードで、当該射出成形機２を起動する（上述した図１０のステップＳ３０４の処理に相当）。特に、本例では、制御装置９０（起動処理部９０１）は、制限起動モードにおいて、未完了（全く実行されていない）のメンテナンス処理だけを起動可能な状態で、当該射出成形機２を起動する。これにより、高優先度処理が実行されるタイミングであっても、高優先度処理が実行されず、制御装置９０（具体的には、正常復帰処理部９０７）は、リトライ処理によって、未完了のメンテナンス処理を実行させることができる。
【０１７０】
このように、本例では、制御装置９０は、相対的に優先度が高い高優先度処理の実行頻度が通常よりも高くなる異常により、相対的に優先度が低いメンテナンス処理を実行できない場合、その後、制限起動モードで起動したときに、通常起動モードで起動する場合に実行される処理のうちのメンテナンス処理だけを実行する。これにより、制御装置９０は、メンテナンス処理が実行されない異常を解消させることができる。
【０１７１】
尚、本例では、リトライ処理の対象となる特定の処理が、メンテナンス処理であるが、当然の如く、診断処理であってもよい。
【０１７２】
［変形・変更］
以上、本発明を実施するための形態について詳述したが、本発明はかかる特定の実施形態に限定されるものではなく、特許請求の範囲に記載された本発明の要旨の範囲内において、種々の変形・変更が可能である。
【０１７３】
例えば、上述した実施形態では、射出成形機２は、射出成形機２の各種機能に関するプログラムのバグやパラメータ異常等の場合に、制限起動モードで起動するが、制御装置９０等がコンンピュータウィルス等に感染した場合等に、制限起動モードで起動してもよい。具体的には、射出成形機２は、制御装置９０等がコンピュータウィルスに感染した場合等に、ネットワークとの接続を遮断し、通信機能を制限する制限起動モードで、起動してよい。外部へのコンピュータウィルスの拡散を防止するためである。
【０１７４】
また、上述した実施形態及び変形例では、射出成形機２は、制御装置９０における各種制御処理に関する異常が発生した場合等、射出成形機２に関する異常がある場合に、射出成形機２の機能の一部が制限された制限起動モードで起動するが、異常の有無とは関係なく、制限起動モードで起動してもよい。
【０１７５】
具体的には、射出成形機２の起動時に、例えば、所定のプログラムの更新が自動的に行われる場合に、射出成形機２は、プログラムの更新に必要な最低限の機能（例えば、必要なアップデートファイルを受信するための通信機能等）だけが有効な制限起動モードで、起動してもよい。射出成形機２の各種プログラムの更新時に、例えば、成形品を生成するための駆動機能等が実行される必要性が低いからである。
【０１７６】
また、射出成形機２の起動時に、例えば、予め実行予約がされた診断処理（自己診断）が実行される場合に、射出成形機２は、自己診断に必要な最低限の機能だけが有効な制限起動モードで、起動してもよい。射出成形機２の自己診断時に、例えば、成形品を生成するための駆動機能等が実行される必要性が低いからである。
【０１７７】
また、射出成形機２の起動時に、制御装置９０に関するアプリケーションの自動的な起動を伴う場合、射出成形機２は、アプリケーションの起動に合わせて、例えば、操作機能を一時的に制限する制限起動モードで、起動してもよい。アプリケーションの起動時に、不要な操作が受け付けられる必要性が低いからである。
【０１７８】
また、制御装置９０等が射出成形機２の稼動状況等から故障予測を行う前提において、射出成形機２の起動時に、故障発生が予測される場合、射出成形機２は、自動的に、制限起動モードで起動してもよい。故障発生が予測される場合、不要な機能が制限された上で、診断処理やメンテナンス処理が実行される必要性が高いからである。
【０１７９】
また、上述した実施形態及び変形例では、制御装置９０における各種制御処理に関する異常が発生した場合等において、例えば、プログラムのバグやパラメータ等の異常箇所の修正によって、正常復帰処理が行われるが、異常箇所に対応するファイル（例えば、設定ファイルや起動ファイル等）自体をバックアップファイルに入れ替えてもよい。具体的には、異常発生が無い状態で、正常なファイルのバックアップコピーが自動で或いは手動で確保され、異常発生時に、正常復帰処理として、異常ファイルのバックアップコピーへの入れ替えが行われてよい。また、このとき、入れ替えに使用されたバックアップコピーの更なるバックアップコピーが確保される態様であってもよい。
【０１８０】
最後に、本願は、２０１８年１月１６日に出願した日本国特許出願２０１８−００４９９６号に基づく優先権を主張するものであり、これらの日本国特許出願の全内容を本願に参照により援用する。
【符号の説明】
【０１８１】
１    射出成形システム
２    射出成形機
４    外部装置
１０  型締装置（駆動部）
１２  固定プラテン
１３  可動プラテン
１５  サポートプラテン
２０  トグル機構
２１  型締モータ
４０  射出装置（駆動部）
４１  シリンダ
４２  ノズル
４３  スクリュ
４５  計量モータ
４６  射出モータ
４７  圧力検出器
５０  エジェクタ装置（駆動部）
５１  エジェクタモータ
５２  運動変換機構
５３  エジェクタロッド
９０  制御装置
９１  ＣＰＵ
９２  記憶媒体
９３  入力インターフェース
９４  出力インターフェース
９５  入力装置
９６  出力装置（表示部）
９７  記憶装置
９８  電源リレー
９０１  起動処理部
９０２  通信処理部
９０３  表示処理部
９０４  操作入力受付部
９０５  設定処理部
９０６  制御処理部
９０７  正常復帰処理部
【図１】
2019142472.tif 000003
【図２】
2019142472.tif 000004
【図３】
2019142472.tif 000005
【図４】
2019142472.tif 000006
【図５】
2019142472.tif 000007
【図６】
2019142472.tif 000008
【図７】
2019142472.tif 000009
【図８】
2019142472.tif 000010
【図９】
2019142472.tif 000011
【図１０】
2019142472.tif 000012
【図１１Ａ】
2019142472.tif 000013
【図１１Ｂ】
2019142472.tif 000014
【図１２】
2019142472.tif 000015
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
金型装置を型締する型締装置と、
前記型締装置により型締された前記金型装置に成形材料を充填する射出装置と、
前記射出装置により充填された成形材料が冷却固化した後、前記金型装置から成形品を取り出すエジェクタ装置と、を備え、
通常の起動モードで起動する場合と、前記通常の起動モードで起動する場合に対して一部の機能が制限された所定の起動モードで起動する場合とを有し、
前記所定の起動モードでは、少なくとも、当該射出成形機の診断に関する診断機能又は当該射出成形機のメンテナンスに関するメンテナンス機能、及び当該射出成形機の外部との通信機能が有効な状態で起動する、
射出成形機。
【請求項２】
表示部に当該射出成形機に関する情報を表示させる表示機能、当該射出成形機に対する外部からの操作入力を受け付ける操作機能、前記操作入力に応じて、当該射出成形機に関する設定を変更する変更機能、当該射出成形機の成形条件に関する前記設定に基づき、成形動作に関する駆動部を制御する制御機能、前記駆動部を起動させる駆動機能、及び、前記通信機能を含む概要機能を有し、
前記所定の起動モードにおいて、前記概要機能のうちの少なくとも一つの概要機能の全体又は一部の詳細機能が制限された状態で起動する、
請求項１に記載の射出成形機。
【請求項３】
前記所定の起動モードにおいて、前記通常の起動モードで起動する場合に前記表示機能により前記表示部に表示される前記情報のうちの一部の情報の表示、又は、前記通常の起動モードで起動する場合に前記操作機能により受け付けられる前記操作入力のうちの一部の操作入力の受付が制限された状態で起動する、
請求項２に記載の射出成形機。
【請求項４】
前記所定の起動モードにおいて、前記表示機能により前記表示部に当該射出成形機の診断又はメンテナンスに関する情報を表示可能な状態、又は、前記操作機能により当該射出成形機の診断又はメンテナンスに関する操作入力を受け付け可能な状態で起動する、
請求項３に記載の射出成形機。
【請求項５】
前記所定の起動モードにおいて、外部からの操作入力に応じて、当該射出成形機の各種機能に対応する処理システムの状態を、予めバックアップされた過去の時点の状態に復元することが可能な状態で起動する、
請求項１に記載の射出成形機。
【請求項６】
前記所定の起動モードにおいて、外部からの操作入力に応じて、当該射出成形機の各種機能に対応するプログラム又はパラメータを表示部に表示させることが可能な状態で起動する、
請求項１に記載の射出成形機。
【請求項７】
前記通常の起動モードで起動する際の通常の起動操作とは異なる所定の起動操作が行われた場合に、前記所定の起動モードで起動する、
請求項１に記載の射出成形機。
【請求項８】
所定の異常がある状態で停止した場合、次回の起動時に、前記所定の起動モードで起動する、
請求項１に記載の射出成形機。
【請求項９】
当該射出成形機の診断に関する所定の診断処理動作、又は、当該射出成形機のメンテナンスに関する所定のメンテナンス処理動作が未完了である状態で停止した場合、その後、前記所定の起動モードで起動したときに、未完了の前記診断処理動作又は前記メンテナンス処理動作を実行する、
請求項１に記載の射出成形機。
【手続補正２】
【補正対象書類名】明細書
【補正対象項目名】０００６
【補正方法】変更
【補正の内容】
【０００６】
上記目的を達成するため、本発明の一実施形態では、
金型装置を型締する型締装置と、
前記型締装置により型締された前記金型装置に成形材料を充填する射出装置と、
前記射出装置により充填された成形材料が冷却固化した後、前記金型装置から成形品を取り出すエジェクタ装置と、を備え、
通常の起動モードで起動する場合と、前記通常の起動モードで起動する場合に対して一部の機能が制限された所定の起動モードで起動する場合とを有し、
前記所定の起動モードでは、少なくとも、当該射出成形機の診断に関する診断機能又は当該射出成形機のメンテナンスに関するメンテナンス機能、及び当該射出成形機の外部との通信機能が有効な状態で起動する、
射出成形機が提供される。
【国際調査報告】
2019142472.tif 000016
2019142472.tif 000017
2019142472.tif 000018
2019142472.tif 000019